(57)【要約】      （修正有）【課題】安心安全に刺繍や裁縫を楽しむことができ、且つ、作業の満足度が高い手芸キットを提供する。【解決手段】少なくとも一方の先端が硬質端である細紐２と、当該細紐２の直径の１倍〜３倍の直径を有する複数の穴３が設けられた柔軟性を有する基体シート１とを含み、細紐２の硬質端又はその近傍を手指で保持しながら、細紐２を基体シート１の穴３に挿通していくことによって刺繍又は縫製を行う、手芸キットである。手芸キットの実施態様としては、刺繍絵の作成キット、袋物作成キット等がある。【選択図】図１
0003198600.tif 000002
【実用新案登録請求の範囲】
【請求項１】
少なくとも一方の先端が硬質端である細紐と、当該細紐の直径の１倍〜３倍の直径を有する複数の穴が設けられた柔軟性を有する基体シートとを含み、前記細紐の硬質端又はその近傍を手指で保持しながら、前記細紐を前記基体シートの穴に挿通していくことによって刺繍又は縫製を行う、手芸キット。
【請求項２】
前記細紐の直径が０．５ｍｍ〜３ｍｍ、前記穴の直径が０．５ｍｍ〜９ｍｍである、請求項１に記載の手芸キット。
【請求項３】
前記基体シートが合皮又はラミネート加工された布帛であり、前記基体シートに設けられた複数の穴の少なくとも一部は、シートの辺縁から一定の距離をもって互いに等間隔に配設された一連の穴である、請求項１又は２に記載の手芸キット。
【請求項４】
前記基体シートに設けられた複数の穴は、基体シートの略全面にわたって互いに等間隔にマトリクス状に設けられた穴であり、当該穴の一部又は全部に前記細紐を挿通することで絵柄を現す刺繍絵キットである、請求項１〜３のいずれか１項に記載の手芸キット。
【請求項５】
さらに、前記基体シートと組み合わされ、完成品の絵柄を示す絵柄ガイドを含む、請求項１〜４のいずれか１項に記載の手芸キット。
【請求項６】
前記絵柄ガイドが、前記基体シート上に印刷された絵柄ガイドである、請求項５に記載の手芸キット。
【請求項７】
前記基体シートの一面がシール面であり、前記絵柄ガイドは前記基体シートの前記シール面に貼り合わされ、絵柄が現された薄紙である、請求項５に記載の手芸キット。
【請求項８】
前記薄紙は、基体シートに設けられた穴の間隔と略同一の大きさの方眼が印刷された方眼紙である、請求項７に記載の手芸キット。
【請求項９】
さらに、原画シートを含む、請求項１〜８のいずれか１項に記載の手芸キット。
【請求項１０】
前記基体シートに設けられた複数の穴の少なくとも一部は、前記基体シートの互いに向かい合う２辺の辺縁近傍に一列に設けられた一連の穴であり、前記基体シートを折り畳んで重ね合せ、当該重ね合せた部分の穴を前記細紐で綴じ合わせることによって袋物を作成するためのキットである、請求項１〜３のいずれか１項に記載の手芸キット。
【請求項１１】
前記基体シートの前記袋物の開口部に相当する辺には、当該辺を折り返して重ね合せ、綴じ合わせて紐通しを形成できるよう、当該辺の長さ方向にわたって、互いに１ｃｍ〜５ｃｍ離間した２列の穴が列設されている、請求項１０に記載の手芸キット。
【考案の詳細な説明】
【技術分野】
【０００１】
本考案は、針を使わずに刺繍や縫製をすることができる手芸キットに関する。
【背景技術】
【０００２】
刺繍によって絵柄を現す「刺繍絵」が公知である。例えば、特許文献１には、シート状基材に内径０．４〜１．５ｍｍの貫通孔がマトリックス状に設けられている刺繍絵用シートと、当該刺繍絵用シートに積層され、刺繍絵用シートの貫通孔と同じピッチで貫通孔が設けられているシート片と、前記刺繍絵用シート及びシート片の貫通孔に通される刺繍糸とを含む刺繍絵が開示されている。特許文献１の考案は、基材シートとシート片とに同じピッチで貫通孔を設けておき、基材シートの絵柄部分にシート片を積層し、重ね合わせて刺繍を行うことによって、立体的な刺繍絵を簡単に作成できるという考案である。特許文献１には、絵柄の凹凸（陰影）に合わせてシート片を１枚ないし複数枚積層し、立体感を演出することが開示されている。
【０００３】
また特許文献２には、刺繍生地であって、薄地の皮革、擬革等と和紙等とを貼り合わせて積層生地を構成し、当該積層生地に多数の円形孔を設け、円形孔を刺し目として刺繍を行うことが開示されている。特許文献２の考案は、皮革等と和紙とを組み合わせた生地に穿孔することで、隙間、織目、編目などのない平板状生地にも刺繍をすることができ、また低コストで強靭な材料を得られるというものである。
【０００４】
一方、指先を動かし頭を使うことは高齢者の心身に良いと考えられており、高齢者を対象とするレクリエーション活動の一つとして、手芸が行われている。手芸の内容は刺繍や裁縫など様々であるが、刺繍や裁縫においては針と糸とを用いることが常識である。しかしながら、針の使用には、針の紛失や怪我のおそれなど安全管理上のリスクがあり、高齢者向けレクリエーションとして必ずしも適切ではない面もあった。
【０００５】
針を使わない手芸としては、はさみとボンドとを用いて材料を切り貼りし、針を使わずに作品を完成するものもある。しかしながら、作業が簡単すぎると満足感が得られず、ボンドで接着してしまうとやり直しができないなど、必ずしも刺繍や裁縫に代替するものではなかった。
【先行技術文献】
【特許文献】
【０００６】
【特許文献１】実登２５１２７６２号
【特許文献２】実公昭４５−２７３４５号
【考案の概要】
【考案が解決しようとする課題】
【０００７】
上述のとおり、刺繍や裁縫で作品を作るための材料には多様なものが提案されているが、高齢者向けレクリエーションの材料として利用するためには、必ずしも満足できるものではなかった。この状況に鑑み、本考案は、安心安全に刺繍や裁縫を楽しむことができ、且つ、作業の満足度が高い手芸キットを提供することを目的とする。
【課題を解決するための手段】
【０００８】
考案者は上記課題について検討を進め、針と糸とを一体化することで、生地に糸を刺していくことで作品を作るという手芸の特性を保ちつつ、針を紛失することがなく安全性の高い手芸材料が得られることに着想した。そして、糸の先端を硬質端とすることで糸と針との機能を一体化でき、さらに特定の基体シートと組み合わせることで、手芸の楽しさを失わず、安全性にも優れた手芸キットが得られることを見出し、本考案を完成した。
【０００９】
すなわち、本考案は、少なくとも一方の先端が硬質端である細紐と、当該細紐の直径の１倍〜３倍の直径を有する複数の穴が設けられた柔軟性を有する基体シートとを含み、前記細紐の硬質端又はその近傍を手指で保持しながら、前記細紐を前記基体シートの穴に挿通していくことによって刺繍又は縫製を行う、手芸キットに関する。
【００１０】
前記細紐の直径は０．５ｍｍ〜３ｍｍ、前記穴の直径は０．５ｍｍ〜９ｍｍであることが好ましい。また、前記基体シートは、合皮又はラミネート加工された布帛であり、前記基体シートに設けられた複数の穴の少なくとも一部は、シートの辺縁から一定の距離をもって互いに等間隔に配設された一連の穴であることが好ましい。
【００１１】
前記手芸キットは、前記基体シートに設けられた複数の穴が基体シートの略全面にわたって互いに等間隔にマトリクス状に設けられた穴であり、当該穴の一部又は全部に前記細紐を挿通することで絵柄を現す刺繍絵キットであることが好ましい。前記の手芸キットには、さらに、前記基体シートと組み合わされ、完成品の絵柄を示す絵柄ガイドを含むことが好ましい。絵柄ガイドは、前記基体シート上に印刷された絵柄ガイドであってもよいし、前記基体シートの一面がシール面であり、前記絵柄ガイドは前記基体シートの前記シール面に貼り合わされ、絵柄が現された薄紙であることも好ましい。さらに、前記薄紙は、基体シートに設けられた穴の間隔と略同一の大きさの方眼が印刷された方眼紙であることも好ましい。これらの手芸キットには、さらに、原画シートを含むことも好ましい。
【００１２】
また本考案は、前記手芸キットにおいて、前記基体シートに設けられた複数の穴の少なくとも一部が、前記基体シートの互いに向かい合う２辺の辺縁近傍に一列に設けられた一連の穴であり、前記基体シートを折り畳んで重ね合せ、当該重ね合せた部分の穴を前記細紐で綴じ合わせることによって袋物を作成するためのキットであるものに関する。
【００１３】
前記基体シートの前記袋物の開口部に相当する辺には、当該辺を折り返して重ね合せ、綴じ合わせて紐通しを形成できるよう、当該辺の長さ方向にわたって、互いに１ｃｍ〜５ｃｍ離間した２列の穴が列設されていることが好ましい。
【考案の効果】
【００１４】
本考案によれば、針を使わず安全に刺繍や裁縫を行うことができるため、安全管理が容易で、また、高齢者や子供など手先の動きが十全でない者であっても作品を作り、手芸を楽しむことができる。
【図面の簡単な説明】
【００１５】
【図１】本考案の手芸キットに含まれる基体シートと細紐とを示す。
【図２】図１に示す手芸キットを用いて刺繍を行う様子である。
【図３】本考案の手芸キットを用いた完成品の例である。
【図４】本考案の手芸キットに含まれる原画シート及び薄紙を示す。
【図５】本考案の手芸キットの図柄ガイドの一態様を示す。
【図６】本考案の手芸キットに含まれる材料布を示す。
【考案を実施するための形態】
【００１６】
以下、図面も参照しながら本考案の手芸キットについて説明する。
本考案の手芸キットは、少なくとも、針と糸とが一体になった機能を有する、少なくとも一方の先端が硬質端である細紐と、当該細紐の直径の１倍〜３倍の直径を有する複数の穴が設けられた柔軟性を有する基体シートとを含むものである。
【００１７】
図１は、基体シート１と細紐２とを示す。基体シート１の材質は、手指で自由に折り曲げ、折り畳みができる程度の柔軟性を有するものであれば特に制限されないが、例えば厚みが０．５ｍｍ〜２ｍｍ程度の合皮、不織布、布帛、皮革、軟質プラスチック等からなるものとすることができる。中でも、若干の伸縮性と柔軟性とを有することから、合皮シートが好適である。基体シート１には多数の穴３が設けられている。穴３は、基体シートの略全面に、互いに等間隔にマトリクス状に設けられた円形穴である。図１の例では、穴の数は縦１４列×横２１行、合計２９４個であり、穴の間隔は７ｍｍ、穴の直径は３ｍｍであるが、穴の直径は作業の設定難易度や挿通する細紐の太さに応じて適宜変更することができ、０．５ｍｍ〜９ｍｍ程度とすることが好ましい。また、穴の数や間隔は基体シートの大きさ、所望の緻密さに応じて任意に設定することができ、特に制限されない。例えば、基体シートがＢ６サイズ程度である場合、穴の間隔を５〜１０ｍｍ程度、穴の個数を２００〜５００程度とすることが好ましい。
【００１８】
細紐２は紐状の長尺体で、両端がチップ加工され硬質端となっている。図１の例ではチップ４はセルチップであるが、硬質端又はその近傍を手指で保持しながら前記基体シートの穴に挿通することができる程度の硬さがあれば、硬質端の材質は特に制限されず、金属チップ等でもよく、細紐２の端部に樹脂を含浸硬化させた形態であってもよい。またチップ４は細紐２の両端に形成されてもよいし、細紐の一端のみがチップとなっていてもよい。チップ４の長さは、チップ４又はその近傍を手指で保持して基体シートに挿通する作業を行える程度であれば特に制限されないが、例えば、１ｃｍ〜３ｃｍ程度とすることができる。細紐２の長さは特に制限されず、例えば１０ｃｍ〜３ｍ程度とすることができ、より好ましくは１〜２ｍ程度とすることができる。細紐２の直径は、０．５ｍｍ〜３ｍｍ程度とすることができ、１ｍｍ〜２ｍｍ程度であれば、より好ましい。細紐２の材質は、例えば、紐、糸、毛糸、リボン、テープなど任意の長尺体を用いることができる。なかでも、人七紐や並太から極太程度の毛糸を用いることが好ましい。
なお、図１には細紐２を１本のみ示しているが、本考案の手芸キットには、使用する糸の量や所望の色数等に応じて単数又は複数の細紐２を含むことが好ましい。例えば、１枚の基材シート１に対して、１本〜１０本の細紐２を含むセットとすることができる。
【００１９】
基体シート１の穴３の直径は、細紐２の直径の１倍〜３倍程度とすることが好ましい。この範囲とすれば、穴３を刺し目として細紐２を刺していく時に、適度な抵抗感があり刺し目がずれにくく、また、一つの穴に２本ないし４本程度の細紐２を通すことが可能となり、刺繍の絵柄を美しく表現できるため好ましい。
【００２０】
図２は基体シートに細紐を刺し、刺繍を行う様子を示している。使用者は、利き手の手指で細紐のチップの根元部を保持し、基体シートの穴を刺し目として細紐を順次、挿通していく。例えばクロスステッチの要領で刺していくことが好ましいが、刺し方等は従来公知の任意の方法を用いればよく、特に制限されない。
【００２１】
図３は上記のキットで作成した刺繍絵の例（上図：さくら、下図：くじら）である。複数色の糸を使用することで任意の絵柄を現すことができる。所望の絵柄に応じて、基体シートの穴の全てに細紐を刺してもよいし、穴の一部のみに刺してもよい。細紐を刺していない部分では基体シートの表面が見えるため、背景色として任意の色の基体シートを選ぶことで、幅広い表現が可能となる。
【００２２】
図４（Ａ）は、本発明の手芸キットで作製される刺繍絵の原画が示された原画シート５の一例を示す。原画はどのようなものであってもよいが、原画シート５は、基体シート１と同じ大きさのシートであり、基体シート１の穴３の間隔と対応する大きさの方眼が設けられ、絵柄が方眼に現されていることが好ましい。また、図４（Ｂ）は、原画シート５と同じ大きさの方眼（すなわち基体シートの穴の間隔と対応する大きさの方眼）を有する薄紙６である。薄紙６の材質は特に制限されないが、透け感と強度があり、かつ、細紐２のチップ４で突くことで刺し通せる程度の破れやすさを有するものが好ましい。具体的には例えば、トレース紙、和紙、半透明紙、パラフィン紙、グラシン紙等が挙げられる。使用の際には、原画シート５に薄紙６を重ね合せ、まず薄紙６に原画を写しとった後に薄紙６を基体シート１の裏面に貼り付けて、刺繍を行うことも好ましい。また、原画を用いずに使用者が薄紙６に直接任意の絵柄を描いてもよい。あるいは、薄紙６に予め原画が印刷してあり、原画の印刷された薄紙６を基体シート１の裏面に貼りつける構成としてもよい。
【００２３】
薄紙６を含む手芸セットでは、基体シート１の裏面の一部又は全面をシール面とした上で、保護シートを付けておき、使用の際には保護シートを剥がしてシール面と薄紙６とを貼り合わせられるようにすることが好ましい。図４（Ｂ）の薄紙６には周囲に切り取り線が示されており、刺繍を仕上げた後に切り取り線で周囲を切り取ることで仕上げることができる。
上記のとおり、本考案の手芸キットでは、原画シート５及び／又は薄紙６を、完成品の絵柄を示す絵柄ガイドとして含むことが好ましい。
【００２４】
また、絵柄ガイドの別の態様として、図５に示すように、基体シート１に絵柄ガイドを印刷することもできる。図柄ガイドは、基体シートの表面、裏面のいずれに設けられていてもよいが、図５の場合は基体シート１の表面に絵柄ガイドが印刷されている。基体シート１に絵柄ガイドを印刷する場合には、手芸キットの部品点数を低減することが可能であり、また、針目を示すことができるため、より手軽に取り組むことができる。絵柄ガイドは、単一色で示してもよいし、絵柄に合わせたカラー印刷の絵柄ガイドとしてもよい。
【００２５】
また本考案の手芸セットは、裁縫のセットとすることも好ましい。裁縫のセットとする場合には、例えば図６に示すように、基体シートとして、予め裁断した材料布７を用いることが好ましい。基体シート７の縫い目に相当する部分に一連の穴８を列設する。図６の例は巾着袋を作成する場合の材料布７を示している。材料布７の長辺Ｌには、辺縁から５ｍｍ〜２０ｍｍ程度内側に、一列の穴８が列設されている。製作の際には、材料布７を中心線（一点鎖線）で折り畳んで重ね合わせ、重ね合せた部分を、細紐２を用いて綴じ合わせていく。綴じ合わせ方は通常の裁縫と同様の方法で行うことができ、特に制限されない。
【００２６】
材料布７の材質は、刺繍絵キットの場合と同様のものを用いることができるが、重ね合せて縫製するためにはより薄手の材料であることが好ましい。特に、材料布７としてラミネート加工した布帛を用いると、縫製しやすく、また、穴の周囲で繊維のほつれが生じず、強度にも優れるため好ましい。
【００２７】
図６に示された材料布７では、短辺Ｓが袋の開口部となる。短辺Ｓには、短辺Ｓの長さ方向にわたって、互いに５〜１０ｍｍ離れた２列の穴９、１０が列設されている。短辺Ｓを折り線（二点鎖線）で折り返して重ね合せ、重ねた穴を綴じ合わせることによって、袋口に紐通しを作ることができる。穴９と穴１０との間隔は、通す紐の太さ等によって適宜変更することができるが、１ｃｍ〜５ｃｍ程度とすることが好ましい。
なお、長辺Ｌの縫製や短辺Ｓの紐通しの作成の際には、従来技術に従って、材料布７を裏返した状態で行い、縫製の終了後に全体を裏返して縫い目を隠すようにすることも好ましい。
【００２８】
図６の例では、長辺Ｌの穴８と、短辺Ｓの穴９、１０とは互いに同じ大きさであるが、用途や所望の強度によって穴の大きさや間隔、挿通する細紐２の太さや強度は適宜変更することができる。細紐２と穴の大きさの関係は、刺繍絵キットの例と同様にすることも好ましく、また、一つの穴に挿通される細紐の本数を勘案して、穴の大きさや用いる紐の太さを適宜変更することも好ましい。
【００２９】
手芸キットが巾着袋の作成キットである場合、キットには、口紐用の紐や任意の飾り付けパーツ、説明書等をさらに含むことも好ましい。さらに、前述の刺繍絵キットと袋物作成キットとを組み合わせて、袋物の表面に刺繍絵を縫い付けるキットとすることも好ましい。
【符号の説明】
【００３０】
１  基体シート
２  細紐
３、８、９、１０  穴
４  チップ
５  原画シート
６  薄紙
７  材料布
【図１】
0003198600.tif 000003
【図６】
0003198600.tif 000004
【図２】
0003198600.tif 000005
【図３】
0003198600.tif 000006
【図４】
0003198600.tif 000007
【図５】
0003198600.tif 000008